(57)【要約】      （修正有）【課題】  光ドロップケーブルに二次加工を施さずに、しかも、特性が損われず確実に引留めのできる引留め具を提供する。【解決手段】  電柱その他の定着物に取付け手段によって取付けて光ドロップケーブルを引き留める引留め具であって、光ファイバと支持線を互いに並設して構成した前記光ドロップケーブルａの特性を保持して該中間部を巻回できる留め具主体１と、該留め具主体１に前記光ドロップケーブルａを巻回した状態を保持する保持手段とを備える。【選択図】図２
2007017858.tif 000002
【特許請求の範囲】
【請求項１】
電柱その他の定着物に取付け手段によって取り付けて光ドロップケーブルを引き留める引留め具であって、光ファイバと支持線を互いに並設して構成した前記光ドロップケーブルの特性を保持して該中間部を巻回できる留め具主体と、該留め具主体に前記光ドロップケーブルを巻回した状態を保持する保持手段とを備えた、光ドロップケーブル用引留め具。
【発明の詳細な説明】
【技術分野】
【０００１】
本発明は、電柱間に架線されたケーブル支持線に支持させた光ドロップケーブルを家屋などの定着物に引き留める際に用いる引留め具に関するものである。
【背景技術】
【０００２】
ほぼ長方形状の基板の一方の片面に先端（自由端）に鍔部片を設けた、複数個の第一柱体を並設し、他の一方の片面先端（自由端）に鍔部片を設けた第二柱体を突設して留め具主体を構成し、該留め具主体の前記基板の長手方向の一端になす環状のケーブル支持線に対する取付けリングを設けた構成とし、光ファイバと支持線を互いに並設して構成した光ドロップケーブルの中間部を、光ファイバと支持線とに部分的に分離し、支持線を第一柱体巻き付けて係止して引き留め強度を得る一方、光ファイバを第二柱体に巻き付けるようにした構造のものがある（例えば、特許文献１）。
【０００３】
【特許文献１】特開平１０−２８８７１１号公報
【発明の開示】
【発明が解決しようとする課題】
【０００４】
前記従来例は、光ドロップケーブルを構成する光ファイバと支持線を分離させて引留める構成を採るため支持線によって保護されていた光ファイバ（光ドロップケーブル）の特性が損われる（取扱い上）おそれがあり、また、支持線および光ファイバを別個に組付けるためその作業が煩雑でもある。
【０００５】
本発明は、光ドロップケーブル（光ファイバ）の特性が損われることなく、当該ケーブルを確実に引留めできる引留め具を提供すべく創案したものである。
【課題を解決するための手段】
【０００６】
電柱その他の定着物に取付け手段によって取り付けて光ドロップケーブルを引き留める引留め具であって、光ファイバと支持線を互いに並設して構成した前記光ドロップケーブルの特性を保持して該中間部を巻回できる留め具主体と、該留め具主体に前記光ドロップケーブルを巻回した状態を保持する保持手段とを備えた構成としたものである。
【発明の効果】
【０００７】
本発明によれば、留め具主体に単に巻き付け、保持手段で該巻き付け状態を保持するだけで光ドロップケーブルの引留めを行うことができるから、引留めるために、当該光ドロップケーブルを支持線と光ファイバに分離する必要もなく、分離することによる光ファイバの特性の変化を防止し、取扱上好適な引留め具を提供できる。
【実施例】
【０００８】
図面は本発明に係る光ドロップケーブル用引留め具の一実施例を示し、図１は斜視図、図２は使用状態を示す平面図、図３は各部の配置関係を示す説明図、図４は取付具の正面図、図５は施錠具の正面図である。
【０００９】
実施例の引留め具Ａは、一方の電柱ｄから、家屋ｈに引込む光ドロップケーブルａの中間部に組付け、他の一方の電柱ｄ´側から導出した引留め線ｂに取付具６を介して接続して前記光ドロップケーブルａを中間部において前記他の一方の電柱ｄ´に引き留めるために用いたものではあるが、使用態様は図示の構造のものに限定する必要がないことは勿論である。なお、光ドロップケーブルａは、光ファイバと該光ファイバの長手方向に沿う両側に並べて配した支持線とで構成したものであるが、該構造以外の構造の光ドロップケーブルにも本引留め具は適用できる。
【００１０】
引留め具Ａは、軸線に沿って開孔した長孔２，２Ａを軸線を取り囲むようにして列設した、円筒状の留め具本体１の軸線方向の一端に半径方向に相対する位置に配した一対二組の突片３，３、３´，３´と該突片３，３´間に配した突条片４，４，４，４を、また、他の一端には、前記突片３と該突片３の両側に配した一対の前記突条片４，４と異なる位置にして一対の突片５，５を本体１の半径方向に相対する位置にして、それぞれ半径方向に突設すると共に、突片３，５を利用して施錠具８を組付けるようにして構成したものである。
【００１１】
この引留め具Ａを構成する前記留め具本体１に設けた前記長孔２，２Ａ中の、等間隔を存して本体１の四方位置に配し、しかも、長手方向の両端部を丸くした（円弧状にした）長孔２，２，２，２は、適宜選択して前記取付具６を貫通させて組付けるために専ら用い、長手方向の両端部を角形状にした他の長孔２Ａ，…は留め具本体１の軽量化を図るために設けたものであるが、不都合のない限り，他の長孔２Ａも取付具６を組付けるために利用しても良い。
【００１２】
留め具本体１の一端の一方の相対する位置に突設した前記一方の一対の突片３，３には、施錠具８を貫通させて組付ける一対の取付孔７，７を設け、この取付孔７，７の相対する位置に存するようにして、本体１の他の一端側に設けた前記突片５の先端には前記施錠具８を係止する凹入切欠９を設けてある。
【００１３】
また、留め具本体１の一端の、他の一方の相対する位置に突設した前記他の一対の突片３´，３´には本体１の軸線に沿って、本体１の周面部と相対するようにして規制部片１０を突設し、本体１との間で係合空隙１１を設けてある。
【００１４】
なお、留め具本体１は円筒体で成り、その周側に光ドロップケーブルａを所要量（通常１巻半）巻き付けるようにしたものであるが、その周側の曲げ率は当該光ドロップケーブルａを支障なく巻き付けられる程度（損傷を与えることなく、特性が変化することもない程度）にしてあり、円筒状のように必ずしも断面円形と成す必要はなく、長円状或いは楕円形或いは多角形状の断面形を備えたものでも不都合はない。
【００１５】
規制部片１０は自由端側の先端１０´が留め具本体１に突設した前記突片５より外方に突出し、該突出した部分（先端１０´部）を前記係合空隙１１内に光ドロップケーブルａを係合する際の案内材として機能させ、係合操作を容易に行えるようにすると共に、内面１０ａには本体１の周面に沿う方向にして凹凸（縞状の）を設けてケーブルａを本体１の周側に巻き付ける際のすべり止め材として機能させ、当該巻き付け操作を容易に行えるようにしてある。
【００１６】
前記取付具６は、螺旋状の内面に接着剤によってアルミナ粉末ｍ（引留め線ｂとの間で大きな摩擦抵抗が生じて引留め線ｂとの接続強度が増す）を付着させた２本の平行金属線６ａ，６ａを中間部においてＵ字形に屈曲した線状体で構成し、また、施錠具８は金属杆をコの字形に屈曲し、基杆８ａの両側に脚杆８ｂ，８ｂを相対設し、脚杆８ｂ，８ｂの先端を互いに反対方向に折曲して係止突子８ｃを設けて構成したものである。
【００１７】
しかして、一方の電柱ｄから導出した光ケーブルａの中間部を係合間隙１１内に係合するようにして留め具本体１（の周側面）に巻き付けると、該巻き付け状態は、突片３，３´や突条片４によって留め具本体１の軸線方向の一端から離脱が規制され、突片５によって同じく軸線方向の他の一端からの離脱が規制され、また、光ケーブルａの弾性（支持線の）による復元は（巻き付け径が大きくなって本体１より離れようとしても）、規制部片１０がその動きを規制して一時的に維持され、この巻き付けた状態を維持した状態で、前記施錠具８の脚杆８ｂ，８ｂを脚杆８ｂ，８ｂ同士を弾性を利用して近接させつつ、凹入切欠９を通じて、該凹入切欠９に相対する長孔より成る取付孔７，７に貫通させて手先による前記近接状態を解放させると、取付孔７に貫通させた脚杆８ｂは弾性により原位置に復帰し、脚杆８ｂの先端を折曲して設けた係止突子８ｃが取付孔７縁部に係止する一方、基杆８ａ側の脚杆８ｂの基部は、凹入切欠９の相対する凹入部９ａに係合させると、施錠具８は引留め具Ａに組付けられて本体１に巻き付けた光ドロップケーブルａを介して本体１に相対することになり、本体１から光ドロップケーブルａの離脱を確実に防止するのである。
【００１８】
なお、実施例は、施錠具８を引留め具Ａの相対する２個所に取付けるようにしているが、当該２個所の一方又は双方いずれに取付けるようにしても良い。
【００１９】
引留め具Ａを斯様にして光ドロップケーブルａに組付けた後、留め具Ａに適宜の長孔２に一方の平行金属線（鋼線で成る）６ａを貫通させて取付け具６を留め具Ａに組合わせ、平行金属線６ａ，６ａ間に引留め線ｂの一端を介在させるようにして該引留め線ｂの一端に金属線６ａ，６ａを撚り線状にして巻き付けて、引留め具Ａに取付け具６を介して引留め線ｂを接続し、該引留め線ｂの他の一端を他の一方の電柱ｄ´に適宜の係止手段で係止する一方、前記光ドロップケーブルａの末端側を家屋ｈに同じく適宜手段で係止することにより光ドロップケーブルａは電柱ｄから家屋ｈへ引き留められるのである。
【図面の簡単な説明】
【００２０】
【図１】斜視図。
【図２】使用状態を示す平面図。
【図３】各部の配置関係を示す説明図。
【図４】取付具の正面図。
【図５】施錠具の正面図。
【符号の説明】
【００２１】
１      留め具本体
ａ      光ドロップケーブル
【図１】
2007017858.tif 000003
【図２】
2007017858.tif 000004
【図３】
2007017858.tif 000005
【図４】
2007017858.tif 000006
【図５】
2007017858.tif 000007